(57)【要約】【課題】積載された用紙を１枚ずつ確実に分離し、印刷機に供給する。【解決手段】枚葉印刷機の給紙装置１は、積載された複数の用紙の最上に位置する１枚の用紙を吸引し持ち上げる第１サッカー２と、第１サッカー２が持ち上げた用紙を吸引し、該用紙を印刷機に送り出す第２サッカー３と、第１サッカー２の吸引力と第２サッカー３の吸引力とを個々に調整する圧力調整弁１５と、を備える。【選択図】図１
2011207585.tif 000002
【特許請求の範囲】
【請求項１】
積載された複数の枚葉紙の最上に位置する１枚の枚葉紙を吸引し持ち上げる第１吸引部と、
前記第１吸引部が持ち上げた枚葉紙を吸引し、該枚葉紙を印刷機に送り出す第２吸引部と、
前記第１吸引部の吸引力と前記第２吸引部の吸引力とを個々に調整する調整手段と、
を備えることを特徴とする枚葉印刷機の給紙装置。
【請求項２】
前記第１及び第２吸引部と配管により接続され、前記第１及び第２吸引部に吸引力を発生させるポンプを備え、
前記調整手段は、前記ポンプと前記第１吸引部とを接続する配管に設けた圧力調整弁であることを特徴とする請求項１に記載の枚葉印刷機の給紙装置。
【請求項３】
前記第１吸引部が持ち上げた枚葉紙の下に位置する枚葉紙を上から押さえて、前記第１吸引部が持ち上げた枚葉紙とその下に位置する枚葉紙とを分離する吹き足を備え、
前記吹き足は、該吹き足を操作する部材に対して上下方向に弾性自在に支持されることを特徴とする請求項１又は２に記載の枚葉印刷機の給紙装置。
【発明の詳細な説明】
【技術分野】
【０００１】
本発明は、枚葉印刷機の給紙装置に関する。
【背景技術】
【０００２】
従来の枚葉印刷機の給紙装置は、積載された用紙から１枚ずつ印刷機に供給することができるようになっている（例えば特許文献１参照）。
図４は、従来の枚葉印刷機に搭載されている給紙装置の構成の一例を示す。
図４に示すように、従来の給紙装置は、エアー分配弁１０１によりバキューム圧が分配された第１サッカー１０２と第２サッカー１０３とを備え、紙積み台１０４に積載された用紙からその最上に位置する１枚の用紙だけを第１サッカー１０２で吸引して持ち上げ、第１サッカー１０２が持ち上げた用紙を第２サッカー１０３で更に吸引し不図示の印刷機の方に送り出している。従来の給紙装置は、印刷機に送り出すための構成として、例えば、送りコロ１０５や差し板１０６等を有する。
【０００３】
また、図４に示すように、従来の給紙装置は、吹き足１０７やさばき１０８から空気を送り出すことで、第１サッカー１０２で持ち上げた１枚の用紙をその下に位置する用紙から分離させている。
【先行技術文献】
【特許文献】
【０００４】
【特許文献１】実公平７−１１０５７号公報
【発明の概要】
【発明が解決しようとする課題】
【０００５】
しかしながら、従来の給紙装置では、和紙等の空気を通し易い薄紙等に紙の厚さが変わることによって、第１サッカー１０２が２枚の用紙を同時に吸引してしまうことがある。この結果、２枚の用紙が印刷機に送り出されることになり、印刷機が停止することがあった。
【０００６】
このようなことから、バキューム圧を変化させることも考えられる。しかし、第１サッカー１０２のためにバキューム圧を下げてしまうと、同時に第２サッカー１０３の吸引力も低下してしまう。この場合、第２サッカー１０３で用紙を並行に保って送り出すことができなくなり、用紙が曲がった状態で印刷機に送られてしまうことがある。この場合も、印刷機が停止する原因となってしまう。
【０００７】
本発明の目的は、積載された用紙を１枚ずつ確実に分離し、印刷機に供給することである。
【課題を解決するための手段】
【０００８】
課題を解決するために、請求項１に係る発明は、積載された複数の枚葉紙の最上に位置する１枚の枚葉紙を吸引し持ち上げる第１吸引部と、前記第１吸引部が持ち上げた枚葉紙を吸引し、該枚葉紙を印刷機に送り出す第２吸引部と、前記第１吸引部の吸引力と前記第２吸引部の吸引力とを個々に調整する調整手段と、を備えることを特徴とする枚葉印刷機の給紙装置である。
【０００９】
また、請求項２に係る発明は、請求項１の記載において、前記第１及び第２吸引部と配管により接続され、前記第１及び第２吸引部に吸引力を発生させるポンプを備え、前記調整手段は、前記ポンプと前記第１吸引部とを接続する配管に設けた圧力調整弁であることを特徴とする枚葉印刷機の給紙装置である。
【００１０】
また、請求項３に係る発明は、請求項１又は２の記載において、前記第１吸引部が持ち上げた枚葉紙の下に位置する枚葉紙を上から押さえて、前記第１吸引部が持ち上げた枚葉紙とその下に位置する枚葉紙とを分離する吹き足を備え、前記吹き足は、該吹き足を操作する操作部材に対して上下方向に弾性自在に支持されることを特徴とする枚葉印刷機の給紙装置である。
【発明の効果】
【００１１】
本発明によれば、第１吸引部の吸引力と第２吸引部の吸引力とを個々に制御することで、積載された用紙を１枚ずつ確実に分離し、印刷機に供給することができる。
【図面の簡単な説明】
【００１２】
【図１】本実施形態の枚葉印刷機の給紙装置の概略構成を示す側面図である。
【図２】本実施形態の枚葉印刷機の給紙装置の概略構成を示す他の側面図である。
【図３】吹き足の構成を示す側面図である。
【図４】従来の枚葉印刷機の給紙装置の概略構成を示す側面図である。
【発明を実施するための形態】
【００１３】
以下に、本発明の最良の形態について説明する。
（構成）
図１及び図２は、実施形態の枚葉印刷機の給紙装置１の概略構成を示す図である。
図１及び図２に示すように、第１及び第２サッカー（吸口）２，３、バキューム圧発生装置（又はサッカー位置制御装置）１０、吹き足４、及び用紙搬送部２０を有する。
【００１４】
バキューム圧発生装置１０は、第１及び第２サッカー２，３に吸引力（バキューム圧力）を発生させるように構成されている。具体的には、図１に示すように、バキューム圧発生装置１０は、バキューム圧を発生させるドライポンプ１１と、ドライポンプ１１が発生するバキューム圧を分配する分配弁１２と、分配弁１２と第１及び第２サッカー２，３とをそれぞれ接続する各ポンプ配管１３，１４と、分配弁１２と第１サッカー２のポンプ配管１３との間（又はポンプ配管１３の途中）に配置された圧力調整弁（又は流量調整弁、スピコン）１５と、を有する。
【００１５】
これにより、第１及び第２サッカー２，３では、バキューム圧が発生するとともに、第１サッカー２については圧力調整弁１５によりそのバキューム圧（吸引力）が制御可能になっている。
なお、第１サッカー２のバキューム圧の制御、又は第１及び第２サッカー２，３のバキューム圧の制御を圧力調整弁１５以外の手段により行っても良い。
【００１６】
第１サッカー２は、紙積み台に積載された用紙に対して位置制御されるようになっている。第１サッカー２は、位置制御されて、不図示の紙積み台に積載された用紙から最上に位置する１枚の用紙を吸引し持ち上げる。第２サッカー３は、第１サッカー２が持ち上げた用紙を吸引し、図２に示すように、用紙搬送部２０側に並行移動して用紙搬送部２０にその用紙１００を送り出す。
【００１７】
図２に示すように、吹き足４は、ほぼＬ字形状をなしている。吹き足４には、紙の給紙方向に延びる下部４ａの先端に吹出し口４ｃが形成されている。この吹き足４は、上端部（根元）から空気が供給されて、吹出し口４ｃから空気が吹き出すようになっている。この吹き足４は、上下移動及び前後移動し該吹き足４を操作する操作部材５に取り付けられている。また、吹き足４は、その途中が弾性体により構成されている。
【００１８】
図３は、吹き足４の構成の一例を示す。図３に示すように、吹き足４は、上部４ｂと下部４ａとがバネ等の弾性体４ｄにより連結されている。
以上のような構成の吹き足４は、第１サッカー２が吸引し持ち上げた用紙の下に位置する用紙を上から押さえるとともに、第１サッカー２が吸引し持ち上げた用紙とその下に位置する用紙との間に、吹出し口４ｃから空気（紙さばき用エアー）を吹き出す。これにより、吹き足４は、第１サッカー２が持ち上げた用紙とその下に位置する用紙とを完全に分離させている。また、吹き足４は、操作部材５により操作されて第１サッカー２による用紙の吸引と同時に上下運動して、第１サッカー２が２枚同時に吸引しないようにもしている。
【００１９】
図１に示すように、用紙搬送部２０は、各種のフィーダローラ（又は送り出しコロ等）２１，２２，２３により構成されている。図２に示すように、用紙搬送部２０は、第２サッカー３により送り出される用紙１００が供給されて、その供給された用紙１００を不図示の印刷機側まで搬送する。このとき、不図示のシートフラップが紙流れ方向へ倒れこみ、積載された用紙の最上面の紙のみを送り出すようになっている。
【００２０】
（動作等）
給紙装置１は、積載された用紙の最上に位置する用紙を第１サッカー２で吸引し持ち上げる。このとき、給紙装置１は、第１サッカー２が持ち上げた用紙とその下に位置する用紙との間に吹き足４により紙さばき用エアーを吹き込み、それら用紙を完全に分離させる。さらに、給紙装置１は、第２サッカー３が用紙を吸引し、その吸引状態のまま前進して用紙を用紙搬送部２０に送り出す。その際、不図示のシートフラップが紙流れ方向へ倒れこみ、積載された用紙の最上面の用紙のみを用紙搬送部２０に送り出す。
【００２１】
前述のように、給紙装置１は、第１サッカー２の吸引力を圧力調整弁１５により制御しており、第１サッカー２の吸引力と第２サッカー３の吸引力とを個々に制御している。
これにより、給紙装置１は、第１サッカー２の吸引力を圧力調整弁１５により制御することで、薄紙等に紙の厚さが変わっても、第１サッカー２で確実に１枚の用紙を吸引することができる。
【００２２】
さらに、給紙装置１では、第１サッカー２の吸引力と第２サッカー３の吸引力とを個々に制御できるため、第１サッカー２の吸引力を制御した場合でも第２サッカー３の吸引力を適切に維持できる。この結果、給紙装置１は、用紙を曲がった状態で印刷機に送り出してしまうようなことがなく、確実に用紙を印刷機に送り出すことができる。
【００２３】
また、給紙装置１では、吹き足４が上部４ｂと下部４ａとがバネ等の弾性体４ｄにより連結されていることで、操作部材５に対して吹き足４が上下方向で弾性自在に支持された状態になっている。
【００２４】
ここで、従来の給紙装置では、吹き足が上下運動すると用紙がバウンドし、跳ね返りが起きることで、２枚止めを飛び越え２枚の用紙が同時に給紙されてしまうことがあった。この結果、２枚止め検知により、装置が停止してしまうことがあった。
これに対して、本実施形態の給紙装置１では、吹き足４が上下方向に弾性自在に支持された状態になっていることで、吹き足４の用紙に対する衝撃を和らげて用紙のバウンドを抑えることができ、用紙の分離を安定させ、２枚の用紙を給紙してしまうのを防止できる。
【００２５】
また、給紙装置１では、紙積み台に積載された用紙に対して第１サッカー２を位置制御している。これにより、給紙装置１は、積載された用紙の最上に位置する１枚の用紙を第１サッカー２で安定して吸引し持ち上げることができる。この結果、給紙装置１は、２枚取りなどの給紙不良の発生を防ぐことができる。
なお、本実施形態では、第１吸引部として第１サッカー２を用いている。また、第２吸引部として第２サッカー３を用いている。また、調整手段として圧力調整弁１５を用いている。
【符号の説明】
【００２６】
１  給紙装置、２  第１サッカー、３  第２サッカー、４  吹き足、５  操作部材、１０  バキューム圧発生装置、１１  ドライポンプ、１２  分配弁、１３，１４  ポンプ配管、１５  圧力調整弁、２０  用紙搬送部、１００  用紙
【図１】
2011207585.tif 000003
【図２】
2011207585.tif 000004
【図３】
2011207585.tif 000005
【図４】
2011207585.tif 000006